(57)【要約】【課題】位相差フィルムの酸化劣化が防止でき、接着剤の光照射による劣化が防止できる偏光変換精度の高い偏光変換素子およびその製造方法を提供する【解決手段】  本発明の偏光変換素子１は、偏光分離素子１１と、該偏光分離素子１１の光射出面側で選択的に粘着固定される複数の矩形状の位相差フィルム１２と、矩形状の光学等方性フィルム１３とを備える偏光変換素子１であって、位相差フィルム１２および光学等方性フィルム１３それぞれの厚みおよび粘弾性が等しく、位相差フィルム１２および光学等方性フィルム１３の両端がそれぞれ偏光分離素子１１に接合される第一接合部２１で固定され、無機性透光性部材３が少なくとも第一接合部２１より内側にある光線透過領域Ａで位相差フィルム１２および光学等方性フィルム１３を覆い、光線透過領域Ａの外側の第二接合部２２において接合されることを特徴とする。【選択図】図１
2011107495.tif 000002
【特許請求の範囲】
【請求項１】
互いに略平行な光入射面と光出射面とが形成され光出射面に所定の角度をもって複数の界面で順次設けられた複数の透光性基板、並びに前記複数の界面の交互に設けられた偏光分離膜及び反射膜を有する偏光分離素子と、
該偏光分離素子の光射出面側で選択的に粘着固定される複数の矩形状の位相差フィルムと、前記複数の矩形状の位相差フィルムの間に配置され前記透光性基板の上に粘着固定される矩形状の光学等方性フィルムとを備える偏光変換素子であって、
前記位相差フィルムおよび前記光学等方性フィルムの両端がそれぞれ前記偏光分離素子に接合される第一接合部で固定され、
無機性透光性部材が少なくとも前記第一接合部より内側にある光線透過領域で前記位相差フィルムおよび前記光学等方性フィルムを覆い、前記光線透過領域の外側の第二接合部において接合されることを特徴とする偏光変換素子。
【請求項２】
請求項１に記載の偏光変換素子において、
前記無機性透光性部材の外周縁と前記位相差フィルムおよび前記光学等方性フィルムとの間は封止材で封止されることを特徴とする偏光変換素子。
【請求項３】
請求項１に記載の偏光変換素子において、
前記無機性透光性部材は前記位相差フィルムと前記光学等方性フィルムとに前記第二接合部において挟持機構により接合され、
前記挟持機構は、前記無機性透光性部材と前記偏光分離素子とにそれぞれ当接する２枚の板状部材と、該２枚の板状部材を近接方向に付勢して連結する連結部材とを備えることを特徴とする偏光変換素子。
【請求項４】
請求項１から請求項３のいずれかに記載の偏光変換素子の製造方法であって、
前記位相差フィルムおよび前記光学等方性フィルムの両端をそれぞれ前記第一接合部の外側において前記偏光分離素子に接合し、
前記無機性透光性部材を前記第二接合部において前記位相差フィルムおよび前記光学等方性フィルムに押圧して接合することを特徴とする偏光変換素子の製造方法。
【発明の詳細な説明】
【技術分野】
【０００１】
本発明は、偏光変換素子および偏光変換素子の製造方法に関する。
【背景技術】
【０００２】
光ピックアップや液晶プロジェクター、その他の装置において、複数の透光性基板を積層して形成された光学物品が用いられている。
このような光学物品として、複数の透光性基板の間に偏光分離膜と反射膜とを交互に配置し、前記偏光分離膜の光射出面側に水晶板を設けた偏光変換素子（ＰＳ変換素子）が知られている。
【０００３】
例えば、互いに平行な膜形成面の一方には偏光分離膜が形成され、他方には反射膜が形成された透光性基板と、これらの膜が形成されない透光性基板とを交互に貼り合わせて偏光ビームスプリッターアレイを形成し、この偏光ビームスプリッターアレイの透光性基板の出射面部分に水晶からなるλ／２位相差板を選択的に設けたものが挙げられる（特許文献１参照）。
【０００４】
また、位相差フィルムを透光性基板の光出射側に設けるために、溝に嵌め込まれた位相差フィルムの上にガラス板を配置したものもある（特許文献２参照）。さらに、偏光分離素子の出射面側に位相差板とスペーサーとを交互に配列させたものもある（特許文献３参照）。
【先行技術文献】
【特許文献】
【０００５】
【特許文献１】特開２０００−２９８２１２号公報
【特許文献２】特開２００７−１０１６７７号公報
【特許文献３】特開２００９−１６８８７９号公報
【発明の概要】
【発明が解決しようとする課題】
【０００６】
しかしながら、特許文献１に記載の偏光変換素子は、λ／２位相差板に水晶を用いているため、製造コストが高くなってしまう。そこで、λ／２位相差板に有機性フィルムを用いることが考えられる。
しかし、λ／２位相差板として有機性材料を採用した場合、λ／２位相差板は、大気中の酸素と接触するため、酸化劣化すると言う問題が挙げられる。
また、仮にλ／２位相差板の上にガラス板を配置したとしても、λ／２位相差板が設けられない箇所に空気層が形成されるため、酸素を遮断することができない。さらに、この空気層により透過する光が空気ギャップを生じさせることとなり、所定の屈折率を発揮することができないという問題も挙げられる。
さらに、λ／２位相差板を位置決めして設ける必要があることから生産性が悪くなるという問題も挙げられる。
【０００７】
特許文献２に記載の偏光変換素子においても、透光性基板に溝を形成する必要があるため、生産性が悪くなるという問題が挙げられる。
さらに、特許文献１から特許文献３に記載の偏光変換素子では、光が透過する領域に接着剤が存在するため、接着剤による光学的影響および光照射による接着剤の劣化、例えば黄変などが問題となる。
【０００８】
本発明の目的は、位相差フィルムの酸化劣化が防止でき、接着剤の光照射による劣化が防止できる偏光変換精度の高い偏光変換素子およびその製造方法を提供することにある。
【課題を解決するための手段】
【０００９】
［適用例１］
本適用例に係わる偏光変換素子は、互いに略平行な光入射面と光出射面とが形成され光出射面に所定の角度をもって複数の界面で順次設けられた複数の透光性基板、並びに前記複数の界面の交互に設けられた偏光分離膜及び反射膜を有する偏光分離素子と、該偏光分離素子の光射出面側で選択的に粘着固定される複数の矩形状の位相差フィルムと、前記複数の矩形状の位相差フィルムの間に配置され前記透光性基板の上に粘着固定される矩形状の光学等方性フィルムとを備える偏光変換素子であって、前記位相差フィルムおよび前記光学等方性フィルムの両端がそれぞれ前記偏光分離素子に接合される第一接合部で固定され、無機性透光性部材が少なくとも前記第一接合部より内側にある光線透過領域で前記位相差フィルムおよび前記光学等方性フィルムを覆い、前記光線透過領域の外側の第二接合部において接合されることを特徴とする。
【００１０】
上記適用例に係わる偏光変換素子では、位相差フィルムおよび光学等方性フィルムのどちらか一方を、入射面の領域を選択して設置し、さらに無機性透光性部材が位相差フィルムおよび光学等方性フィルムを覆っている。この入射面の領域を選択して設置するとは、位相を変換する領域には位相差フィルムを設置し、位相を変換しない領域には光学等方性フィルムを設置することである。位相を変換しない領域に光学等方性フィルムを設置すれば、偏光分離素子の出射面と無機性透光性部材の表面とにおける表面反射は無く、透過光量損失を低減することができる。
そして、位相差フィルムおよび光学等方性フィルムは無機性透光性部材により、空気と接触することがない。
このことから、位相差フィルムとして有機性フィルムを使用するような場合、位相差フィルムが空気中の酸素と接触することによる酸化劣化を防止することができ、位相差フィルムの耐久性を向上させることができる。
よって、位相差フィルムとして有機性フィルムを用いたとしても、十分な耐久性を発揮することができ、水晶を用いなくてもよいので、製造コストを低減することができる。
さらに位相差フィルムおよび光学等方性フィルムを無機性透光性部材で覆う際、位相差フィルムおよび光学等方性フィルムが同じ厚みとすれば、無機性透光性部材から同じ圧力を受けるので好ましく、また、位相差フィルムおよび光学等方性フィルムが同じ粘弾性にすれば、無機性透光性部材に覆われることによる弾性変位が同じとなるので好ましい。
【００１１】
また、上記適用例に係わる偏光変換素子では、位相差フィルムおよび光学等方性フィルムの両端が偏光分離素子に接合される第一接合部で固定され、無機性透光性部材が第一接合部の内側にある光線透過領域の外側の第二接合部において接合される。
このため、光線透過領域にのみ光線を透過させて偏光変換素子を使用する場合、光線が接合部を透過することがないので、接合部において光学的影響を受けることがなく、偏光変換精度を向上させることができる。
なお、光線透過領域とは、偏光変換素子がプロジェクター、その他の光学装置に組み込まれた際に、光源側から送られる光線が偏光変換素子に入射する領域のことである。
さらに、第一接合部若しくは第二接合部の接合を粘着剤等により行う場合、第一接合部若しくは第二接合部に光線が照射されないので、青色光成分の擬似的紫外線による粘着剤の劣化や黄変などを防止することができる。
【００１２】
［適用例２］
上記適用例に係わる偏光変換素子では、前記無機性透光性部材の外周縁と前記位相差フィルムおよび前記光学等方性フィルムとの間は封止材で封止されることが考えられる。
【００１３】
上記適用例に係わる偏光変換素子では、無機性透光性部材の外周縁と位相差フィルムおよび光学等方性フィルムとの間が封止材で封止されるので、位相差フィルムおよび光学等方性フィルムが無機性透光性部材によって、より一層密閉封止される。
このため、位相差フィルムおよび光学等方性フィルムは、空気との接触をより確実に防止される。
このことから、位相差フィルムとして有機性フィルムを使用するような場合、位相差フィルムが酸素と接触することによる酸化劣化をより確実に防止することができ、位相差フィルムの耐久性をより一層向上させることができる。
【００１４】
［適用例３］
上記適用例に係わる偏光変換素子では前記無機性透光性部材は前記位相差フィルムと前記光学等方性フィルムとに前記第二接合部において挟持機構により接合され、前記挟持機構は、前記無機性透光性部材と前記偏光分離素子とにそれぞれ当接する２枚の板状部材と、該２枚の板状部材を近接方向に付勢して連結する連結部材とを備えることが考えられる。
【００１５】
上記適用例に係わる偏光変換素子では、無機性透光性部材は第二接合部において挟持機構により接合されるので、挟持機構を取り外すだけで容易に無機性透光性部材を位相差フィルムおよび光学等方性フィルムから取り外すことができる。
このため、劣化した位相差フィルムもしくは光学等方性フィルムを容易に交換することができる。
また、挟持機構は、２枚の板状部材と、これらを近接方向に付勢して連結する連結部材とを備えているので、簡易な構成により、無機性透光性部材を位相差フィルムおよび光学等方性フィルムに密着させることができる。
【００１６】
［適用例４］
本適用例に係わる偏光変換素子の製造方法は、上記の偏光変換素子の製造方法であって、前記位相差フィルムおよび前記光学等方性フィルムの両端をそれぞれ前記第一接合部の外側において前記偏光分離素子に接合し、前記無機性透光性部材を前記第二接合部において前記位相差フィルムおよび前記光学等方性フィルムに押圧して接合することを特徴とする。
【００１７】
上記適用例に係わる偏光変換素子の製造方法では、無機性透光性部材を第二接合部において位相差フィルムおよび光学等方性フィルムに押圧して接合するので、位相差フィルムおよび光学等方性フィルムにおいて無機性透光性部材に覆われることによる弾性変位を確実に生じさせることができる。
このとき、位相差フィルムおよび光学等方性フィルムが同じ弾性変位を生じさせるので、位相差フィルムおよび光学等方性フィルムと無機性透光性部材との間には空気層や気泡が存在することがなく、確実に密閉されることとなる。
このことから、位相差フィルムとして有機性フィルムを使用するような場合、位相差フィルムが酸素と接触することによる酸化劣化を防止することができ、位相差フィルムの耐久性を確実に向上させることができる。
よって、位相差フィルムとして有機性フィルムを用いたとしても、十分な耐久性を発揮することができ、水晶を用いる場合に比べて製造コストを低減することができる。
【図面の簡単な説明】
【００１８】
【図１】本発明の第一実施形態における偏光変換素子の平面図と正断面図。
【図２】本発明の第一実施形態における偏光変換素子の製造方法を説明するための断面図。
【図３】本発明の第二実施形態における偏光変換素子の平面図と正断面図。
【発明を実施するための形態】
【００１９】
本発明の第一実施形態における偏光変換素子について図１に基づいて説明する。
図１には、本発明の第一実施形態における偏光変換素子の平面図と正断面図が示されている。
図１に示すように、偏光変換素子１は、互いに略平行な光入射面と光出射面とが形成された略板状の偏光分離素子１１と、この偏光分離素子１１の光出射面側に選択的に粘着固定される複数の位相差フィルム１２と、これらの位相差フィルム１２と同じ粘弾性を有する部材であり位相差フィルム１２の隣に密着配置されるとともに透光性基板１４と同じ光学特性、例えば、同じ屈折率を有する光学等方性フィルム１３とを備え、２個の部材が左右対称に接合された構造を有している。
さらに、偏光変換素子１は位相差フィルム１２および光学等方性フィルム１３の光出射面側に粘着固定される無機性透光性部材としてのガラス板３と、位相差フィルム１２および光学等方性フィルム１３とガラス板３とを密閉封止する封止材４とを備えている。
【００２０】
偏光分離素子１１は、光出射面に対して所定の角度（図２では、４５°）の界面で複数が順次設けられた透光性基板１４と、これらの透光性基板１４にそれぞれ設けられた偏光分離膜１５及び反射膜１６とを有する。
透光性基板１４は、断面三角形や断面平行四辺形の角柱部材から形成されており、界面を構成する斜面に偏光分離膜１５と反射膜１６とが交互に配置されている。
透光性基板１４を構成する材料としては、ＢＫ７等の光学ガラス、白板ガラス、ホウケイ酸ガラス、青板ガラスをはじめとするガラスを例示できる。
【００２１】
偏光分離膜１５は誘電体多層膜で形成され、入射した光線束（Ｓ偏光光とＰ偏光光）を、Ｓ偏光の部分光束（Ｓ偏光光）とＰ偏光の部分光束（Ｐ偏光光）とに分離し、Ｓ偏光光を反射し、Ｐ偏光光を透過する機能を有する。
誘電体多層膜は、例えば、ＳｉＯ２よりなる低屈折率層と、ＭｇＦ２よりなる高屈折率層と、Ｌａ２Ｏ３とＡｌ２Ｏ３の重量割合が１：３の混合物よりなる中屈折率層とが、所定の順序及び光学厚膜で形成された多層膜を例示できる。
【００２２】
反射膜１６は誘電体多層膜又は金属膜で形成され、反射膜１６に入射したＳ偏光光をそのまま反射する機能を有する。反射膜１６を構成する多層膜はＳｉＯ２よりなる低屈折率層とＳｉＯ２よりなる高屈折率層とが所定の順序及び光学厚膜で交互に形成された多層膜を例示できる。
【００２３】
位相差フィルム１２は、有機性材料を有する部材であって、厚さが例えば、２８μｍとされた短冊状の１／２波長フィルムであり、透光性基板１４の光出射側面であって偏光分離膜１５に対応する位置に密着固定されている。位相差フィルム１２の幅寸法は偏光分離膜１５と反射膜１６との間の寸法と対応している。
【００２４】
また、位相差フィルム１２は、偏光分離素子１１の光出射面側の外縁において、長辺方向に沿って２箇所設けられる第一接合部２１により、両端が接合されて偏光分離素子１１に固定されている。これら２箇所に設けられた第一接合部２１に挟まれた領域には、
偏光変換素子がプロジェクター、その他の光学装置に組み込まれた際に、光源側から送られる光線が偏光変換素子に入射する光線透過領域Ａがある。
なお、位相差フィルム１２としては、ポリカーボネート樹脂が挙げられ、例えば、株式会社ポラテクノ社製（型番：ＷＢＲ-９０ＰＣ）を例示することができる。
また、第一接合部２１に用いられる粘着剤としては、日東電工（株）製の透明両面接着テープＣＳ９６２１およびＨＪ−９１５０Ｗ、住友スリーエム（株）製の接着剤転写テープＦ−９４６０および８１４１、（株）サンエー化研製の粘着テープＷＲ−Ｂ２などが挙げられる。  
【００２５】
光学等方性フィルム１３は、位相差フィルム１２と同じ粘弾性および例えば、２８μｍと同じ厚さであり、位相差フィルム１２と同様に、第一接合部２１により両端が接合されて偏光分離素子１１の光出射面側に固定されている。
この位相差フィルム１２と光学等方性フィルム１３とが並んで１枚のフィルム形状の部材、つまりフィルム状部材１０が形成される。このフィルム状部材１０は、光出射面側の表面が凹凸のない略同一面とされる。また、フィルム状部材１０と偏光分離素子１１とは互いに対向する平面が同じ大きさである。
なお、光学等方性フィルム１３としては、ポリカーボネート樹脂が挙げられ、例えば、恵和株式会社製（商品名：オプコン）を例示することができる。
【００２６】
フィルム状部材１０の光出射面側には、ガラス板３が設けられている。このガラス板３は、フィルム状部材１０より平面が小さくフィルム状部材１０の略中央に配置され、内側に治まるようになっている。
また、ガラス板３は、フィルム状部材１０の光出射面側の外縁において、短辺方向に沿って２箇所設けられる第二接合部２２により、両端が接合されてフィルム状部材１０に固定されている。この際、ガラス板３はフィルム状部材１０に押圧されて接合されるため、ガラス板３とフィルム状部材１０との間は、空気が介在することがなく気密密閉される。
【００２７】
さらに、ガラス板３の外周には、封止材４が塗布されている。この封止材４は、ガラス板３の光照射面側の外周縁および厚み方向側面に接しており、さらに、長辺方向においてフィルム状部材１０に接しており、短辺方向において第二接合部２２およびフィルム状部材１０に接している。
なお、封止材としては、エポキシ樹脂、シリコーン樹脂等を例示することができる。また、第二接合部２２に用いられる粘着剤としては、日東電工（株）製の透明両面接着テープＣＳ９６２１およびＨＪ−９１５０Ｗ、住友スリーエム（株）製の接着剤転写テープＦ−９４６０および８１４１、（株）サンエー化研製の粘着テープＷＲ−Ｂ２などが挙げられる。  
【００２８】
本発明の第一実施形態における偏光変換素子の製造方法について図２に基づいて説明する。
図２には、本発明の第一実施形態における偏光変換素子の製造方法を説明するための断面図が示されている。
図２（Ａ）に示されるような板状の偏光分離素子１１の片平面に図２（Ｂ）に示すように第一接合部２１に粘着剤を塗布し、その上に位相差フィルム１２と光学等方性フィルム１３とが交互に並べられて偏光分離素子１１と接合されてフィルム状部材１０が形成される。このとき、第一接合部２１に塗布される粘着剤は、位相差フィルムもしくは光学等方性フィルム１３により押圧されることで、厚みが１μｍ以下となる。このため、粘着剤が塗布されない光線透過領域Ａにおいてもフィルム状部材１０と偏光分離素子１１との隙間が１μｍ以下となるので、光線透過において光量損失が防げるようになっている。
【００２９】
図２（Ｃ）に示すように、フィルム状部材１０上の第二接合部２２に粘着剤を塗布し、
その上からガラス板３を押圧しながら接合することにより、ガラス板３をフィルム状部材１０に密着させる。
そして、図２（Ｄ）に示すように、封止材４が、ガラス板３の外周と、この外周に対応する位置のフィルム状部材１０とを埋め合わせるように塗布されることで、ガラス板３とフィルム状部材１０とが密閉封止される。
【００３０】
以上の第一実施形態では次の作用効果を奏することができる。
（１）第一実施形態における偏光変換素子１では、位相差フィルム１２および光学等方性フィルム１３それぞれの厚みおよび粘弾性が等しく、ガラス板３が位相差フィルム１２および光学等方性フィルム１３を覆っている。
このため、位相差フィルム１２および光学等方性フィルム１３をガラス板３で覆う際、位相差フィルム１２および光学等方性フィルム１３が同じ厚みなので、ガラス板３から同じ圧力を受ける。さらに、位相差フィルム１２および光学等方性フィルム１３が同じ粘弾性なので、ガラス板３に覆われることによる弾性変位が同じとなる。
したがって、位相差フィルム１２および光学等方性フィルム１３はガラス板３により密閉されるので、空気と接触することがない。
このことから、第一実施形態のように位相差フィルム１２として有機性フィルムを使用するような場合、位相差フィルム１２が酸素と接触することによる酸化劣化を防止することができ、位相差フィルム１２の耐久性を向上させることができる。
よって、位相差フィルム１２として有機性フィルムを用いたとしても、十分な耐久性を発揮することができ、水晶を用いる場合に比べて製造コストを低減することができる。
【００３１】
（２）第一実施形態における偏光変換素子１では、位相差フィルム１２および光学等方性フィルム１３の両端が光線透過領域Ａの外側に位置する第一接合部２１で接合され、ガラス板３が光線透過領域Ａの外側に位置する第二接合部２２において接合される。
このため、偏光変換素子１を透過する光線は、第一接合部２１および第二接合部２２を透過することがないので、第一接合部２１および第二接合部２２に塗布される粘着剤を透過することによる光学的影響を防止することができる。よって、偏光変換素子１の偏光変換精度を向上させることができる。
さらに、第一接合部２１および第二接合部２２の粘着剤に光線が照射されないので、青色光成分の擬似的紫外線による粘着剤の劣化を防止することができる。
【００３２】
（３）第一実施形態における偏光変換素子１では、ガラス板３の外周縁とフィルム状部材１０との間が封止材４で封止されるので、フィルム状部材１０がガラス板３によって、より一層密閉封止される。
このため、位相差フィルム１２および光学等方性フィルム１３は、空気との接触をより確実に防止される。
このことから、第一実施形態のように位相差フィルム１２として有機性フィルムを使用するような場合、位相差フィルム１２が酸素と接触することによる酸化劣化をより確実に防止することができ、位相差フィルム１２の耐久性をより一層向上させることができる。
【００３３】
（４）第一実施形態における偏光変換素子１の製造方法では、ガラス板３を押圧して第二接合部２２に接合するので、位相差フィルム１２および光学等方性フィルム１３においてガラス板３に覆われることによる弾性変位を確実に生じさせることができる。
このとき、位相差フィルム１２および光学等方性フィルム１３が同じ粘弾性のため同じ弾性変位を生じさせるので、位相差フィルム１２および光学等方性フィルム１３とガラス板３との間には空気層や気泡が存在することがなく、確実に密閉されることとなる。
このことから、第一実施形態のように位相差フィルム１２として有機性フィルムを使用するような場合、位相差フィルム１２が酸素と接触することによる酸化劣化を防止することができ、位相差フィルム１２の耐久性を確実に向上させることができる。
よって、位相差フィルム１２として有機性フィルムを用いたとしても、十分な耐久性を発揮することができ、水晶を用いる場合に比べて製造コストを低減することができる。
【００３４】
次に、本発明の第二実施形態における偏光変換素子について図３に基づいて説明する。
なお、第二実施形態は、第一実施形態とは、第二接合部２２に粘着剤を用いないことと、ガラス板３の外周に封止材４を塗布しないこととが異なるものであり、その他の構成は第一実施形態と同様である。
図３には、本発明の第二実施形態における偏光変換素子の平面図と正断面図が示されている。
図３に示すように、第二実施形態における偏光変換素子１では、フィルム状部材１０の光出射面側に設けられるガラス板３の短辺両端の第二接合部２２において、それぞれ挟持機構５により挟持されている。
この挟持機構５は、２枚の金属片５１が第二接合部２２においてガラス板３と偏光分離素子１１とに当接し、これらの金属片５１が連結部材としてのボルト５２とナット５３とにより螺合されることでガラス板３をフィルム状部材１０に圧着固定している。
また、金属片５１による挟持が完了するまでの間、ガラス板３はフィルム状部材１０に押圧されているため、ガラス板３とフィルム状部材１０との間は、空気が介在することがなく気密密閉された状態で挟持固定される。
なお、第二実施形態における偏光変換素子１は、挟持機構５によりガラス板３が圧着固定された状態でプロジェクター等の光学装置に組み込まれる。
【００３５】
以上の第二実施形態では第一実施形態の（１），（２），（４）と同様の作用効果を奏することができ、さらに、次の作用効果を奏することができる。
（５）第二実施形態における偏光変換素子１では、ガラス板３は第二接合部２２において金属片５１がボルト５２とナット５３とが螺合されることにより挟持固定されるので、ボルト５２とナット５３との螺合を外すだけで容易にガラス板３をフィルム状部材１０から取り外すことができる。
このため、劣化した位相差フィルム１２もしくは光学等方性フィルム１３を容易に交換することができる。
【００３６】
なお、本発明は前述の第一実施形態および第二実施形態に限定されるものではなく、本発明の目的を達成できる範囲での変形、改良等は本発明に含まれるものである。
第一実施形態では、第二接合部に粘着剤を用いてフィルム状部材を偏光分離素子１１に接合したが、これに限られず、例えば、粘着剤の代わりに両面テープを用いてもよく、ガラス板３がフィルム状部材１０に密閉固定される構成であればいずれでもよい。
また、第二実施形態では、挟持手段として２枚の金属板をボルトとナットとで固定したが、これに限られず、例えば、クリップ等を用いてもよく、ガラス板３がフィルム状部材１０に密閉固定される構成であればいずれでもよい。
【産業上の利用可能性】
【００３７】
本発明は、プロジェクター、その他の装置に用いられる偏光変換素子、その他の光学物品に利用できる。
【符号の説明】
【００３８】
１…偏光変換素子、３…ガラス板（無機性透光性部材）、４…封止材、５…挟持機構、１１…偏光分離素子、１２…位相差フィルム、１３…光学等方性フィルム、１４…透光性基板、１５…偏光分離膜、１６…反射膜、２１…第一接合部、２２…第二接合部、５１…金属片（板状部材）、５２…ボルト（連結部材）、５３…ナット（連結部材）、Ａ…光線透過領域
【図１】
2011107495.tif 000003
【図２】
2011107495.tif 000004
【図３】
2011107495.tif 000005